(57)【要約】【課題】簡易的に低コストで、２つ折物印刷物、あるいは２つ折中心線に綴じ部を有する薄物印刷物に、識別容易性を高めるための背表紙部を付加する事。【解決手段】製本状態の表紙−裏表紙間の厚さが平均５ｍｍ以下、２つ折形式の印刷物であって、裏表紙を構成する紙面の一部に背表紙表示を有することを特徴とする薄物印刷物。表紙−裏表紙に使用する用紙として厚板紙を用いてなり、背表紙表示部と裏表紙部との境界線部に筋入り加工が施されていることを特徴とする請求項１に記載された薄物印刷物。【選択図】図１
2005007696.tif 000002
【特許請求の範囲】
【請求項１】
製本状態の表紙−裏表紙間の厚さが平均５ｍｍ以下、２つ折形式の印刷物であって、裏表紙を構成する紙面の一部に背表紙表示を有することを特徴とする薄物印刷物。
【請求項２】
表紙−裏表紙に使用する用紙として厚板紙を用いてなり、背表紙表示部と裏表紙部との境界線部に筋入り加工が施されていることを特徴とする請求項１に記載された薄物印刷物。
【発明の詳細な説明】
【０００１】
【発明の属する技術分野】
本発明は、カタログ、見本帳などの、表紙と裏表紙との厚さが、平均で５ｍｍ以下の薄物印刷物に関する。
【０００２】
【従来の技術】
従来、数頁〜数十頁構成による薄物印刷物は、印刷され、必要なサイズに裁断された紙を、中央線で折り曲げ加工を施し、２枚以上の用紙を用いる場合には、該中央線部分にステープル等の綴じ金具によって２箇所〜３箇所程度の綴じ部が設けられ、製本されてなることが多い。
【０００３】
これらの製本形態は、カタログ、見本帳、パンフレット、リーフレット等の薄物の商用印刷物に多く用いられている。
【０００４】
この形態であると、最も外側を構成する用紙の片面が表紙となり、中心線を挟んで表紙反対側の残り面積が裏表紙となる。
【０００５】
１枚４頁構成の印刷物であれば、中心線に折り曲げ部が、用紙を複数枚使用する印刷物であれば、中心線にステープル等の綴じ金具が打たれるという製本形態であるため、物理的に背表紙を付けることは不可能である。
【０００６】
【発明が解決しようとする課題】
上記の様な薄物印刷物を整理収納しようとする場合、多くの人は立てて収納する形式の本棚に収納するか、ファイルキャビネットに背表紙側が上になるように収容する。しかし、背表紙のない薄物印刷物であるため、同じ形式の印刷物が多数収容されている場合には、その中から必要とする印刷物を選別し、取り出そうとする際には、選別のための情報がないため、収納した順番の記憶に頼るなどせねばならず、迅速に取り出すことは極めて困難である。
背表紙が付いていれば確認が極めて容易となるが、薄物印刷物であり、その製本形態から、背表紙を付けることは不可能である。
【０００７】
【課題を解決するための手段】
そこで、薄物印刷物の最外側において表紙−裏表紙を構成する用紙の、裏表紙部分の中心線から３ｍｍ以上の幅を背表紙部として、パンフレットやカタログに必要な情報を、この部分に印刷し、必要に応じて該部分を折り曲げて背表紙とする。
ここで大切な点は、従来の背表紙を有する印刷物の場合には、表紙部と裏表紙部を同一面積とせねばならず、この面積の他に独立して背表紙を必要とするため、他の頁に比較して、表紙−背表紙−裏表紙の用紙は、背表紙分だけが大きい別サイズの用紙を使う必要があり、かつ、背表紙のある形態で製本するためには、背表紙への糊綴じ、あるいは表紙、若しくは裏表紙の裏側部への２穴ファイル用金具の取り付け、あるいは背表紙裏側部へのリング状金具の取り付け等が必要となるなど、新たなコストが発生する。
一方、本発明の背表紙部の特徴点は、裏表紙部の面積の一部を用いるという点であるため、従来の背表紙なしの薄物印刷物と比較して、表紙用紙も、他の頁と同一サイズの用紙を使用することができ、製本のための加工も、従来の背表紙無しの製本と全く同じ、２つ折加工、要すれば２つ折の中心線にステープル金具にて綴じる方式が使用できるので、発明を実施するための新たなコストがかからず、極めて経済的である。
【０００８】
背表紙部分は、書籍であれば書名、著者名、出版社名などが表記される箇所であるが、カタログ、見本帳、パンフレット、リーフレットなどの薄物商用印刷物の場合には特に制限はなく、カタログに記載されている商品名やそのシリーズ名、若しくは販売会社名、メーカー名など、同様の形態の、他の薄物印刷物と容易に識別が可能な表記であれば、どんな表記でも差し支えない。
【０００９】
背表紙部分を構成する幅は、裏表紙部分と表表紙部分の２つ折中心線から、３ｍｍ以上の幅が適当である。３ｍｍ未満であると、背表紙表記文字が著しく小さくなってしまい、薄物印刷物を本棚やファイルキャビネットに収納した際に、他との識別の効果が小さい。また、手作業で折り込みをしようとする場合には幅が小さすぎで、折り込みの作業が困難である。
【００１０】
背表紙を構成する部分の印刷は、背表紙部分と裏表紙部分とを区切る線を入れて、折り込みを容易にするための目印としても良い。また、背表紙部分を、裏表紙部分と色を変える等、デザイン処理により、区分化しても良い。即ち、背表紙部分の表記、デザイン等の処理方法は任意である。
【００１１】
背表紙部分と、裏表紙部分との境界線は、特になにも処理を施さなくてもかまわない。背表紙を必要とするユーザーが、本発明になる印刷物を入手した場合、背表紙と裏表紙部分との境界線を折り曲げるだけで、簡易的な背表紙が出来あがり、これを本棚やファイルキャビネットに収納した場合、背表紙の表記を見ることによって他の印刷物と識別でき、本発明によるカタログ等の印刷物の捜索、取り出しが極めて容易となる。
【００１２】
また、表表紙−裏表紙を構成している最外側の用紙に、内側の用紙より腰の強い厚紙、厚板紙等を用いる場合には、ユーザーが手作業で背表紙境界線を折り込む作業が困難となる。この様な場合には、予め背表紙部−裏表紙部の境界線に、機械的に折り目をつけておき、この折り目に沿って折り曲げると、容易に背表紙が出来あがる。機械的に折り目を入れる方法としては、抜き型加工を行なう際に使用されているトムソン刃を、折り目を入れたい箇所に押しつけることにより、筋目を付ける加工等が例示できる。この場合であっても、表紙の用紙に使用する厚板紙のサイズと、他の頁を構成する紙のサイズは同一であって良い。
【００１３】
なお、本発明になる薄物印刷物を使用するユーザーが、裏表紙部の一部に印刷されている背表紙部を境界に沿って折り込んだ場合には、裏表紙部の面積が、折り込まれた背表紙部の面積分だけ減少することになる。しかしながら減少した裏表紙部の面積は極僅かであり、裏表紙部に記載すべき面積が不足するとか、デザイン的なバランスが大きく崩れるといった不具合は全く発生せず、通常の薄物印刷物と使い勝手は同一である。
【００１４】
【実施例】
【実施例１】
表紙−裏表紙に使用した紙の中心線の折り曲げ部から、裏表紙側に７ｍｍ幅で背表紙部を設定し、カタログに記載されている商品名、及びメーカー社名を記載し、これらの文字を白抜き、背景色を有彩色として、裏表紙面の白色と明瞭に区別できる様にデザインした。
上記の表紙−裏表紙用紙を含めて、同じサイズ４枚の用紙を用いて中央２つ折、中心部にステープル金具で２箇所綴じ、表紙、裏表紙を含め１６頁構成のカタログを作成した。
該カタログの背表紙印刷部を折り曲げることにより、背表紙ができあがり、ファイルキャビネット、本棚に収容しても識別が極めて容易となった。
【００１５】
【実施例２】
表紙−裏表紙に厚板紙を使用した紙の中心線の折り曲げ部から、裏表紙側に５ｍｍ幅で背表紙部を設定し、カタログに記載されている商品名、及びメーカー社名を記載し、これらの文字を白抜き、背景色を有彩色として、裏表紙の白色と明瞭に区別できる様にデザインした。該背表紙部、裏表紙部の境界線部分に、筋入れ加工を施した。
該カタログの筋入れされた背表紙印刷部を折り曲げることにより、背表紙ができあがり、ファイルキャビネット、本棚に収容しても識別が極めて容易となった。
【００１６】
【発明の効果】
本発明の薄物印刷物による背表紙の付加であれば、従来の２つ折加工による１枚４頁構成の印刷物、あるいは複数枚用紙により、２つ折部の中心線ステープル金具綴じによる製本であっても、新たなコストを発生させることなく、簡単に背表紙を付ける事ができる。
また、この方法であればユーザーが任意に背表紙を容易に作成できるため、例えばクリアファイルなどに薄物カタログを収容管理したり、営業用鞄に多数のカタログを収めて持ち運ぶユーザーなどは、本発明の形式の印刷物であっても、敢えて背表紙を作ることなく、薄い、収容に容積を取らない、持ち運びに便利である、という従来の薄物印刷物の利点をそのまま享受することができる。
また、カタログをこの形式で製本することにより、同一社による製品カタログであっても本棚やファイルキャビネットから必要なカタログを捜索し、取り出す際の情報が背表紙に記載されているため、このような収容方法を取るユーザーには極めて便利な形状となる。
即ち本発明は、多様な薄物印刷物ユーザーの、多目的な利用形態に合わせて、容易な作業により、その利便性を大きく拡大することができる効果を有するものである。
【図面の簡単な説明】
【図１】本発明になる薄物印刷物の平面図
【図２】従来の薄物印刷物の平面図
【符号の説明】
１  表紙部
２  裏表紙部
３  背表紙部
４  綴じ部
５  ２つ折中心線
【図１】
2005007696.tif 000003
【図２】
2005007696.tif 000004